(57)【要約】【課題】簡単に組み立てることができ、コンパクトに保管することができる新たな構造の簡易組立トイレの提供を図る。【解決手段】多角筒の台座部１１と、台座部１１の上に配置される便座部１２とを備える。台座部１１は、各側壁同士が、壁間折り目線３５にて折り曲げ可能に連なっている。便座部１２は、第１便座板２１と第２便座板２２とを備え、それぞれの外辺が台座部１１の側壁に対して上端折り目線２３にて折り曲げ可能に連続している。第１便座板２１と第２便座板２２とは天部折り目線２４にて折り曲げ可能に連続させることもでき、あるいは、分離させておくこともできる。【選択図】図４
2017038635.tif 000002
【特許請求の範囲】
【請求項１】
多角筒の台座部と、前記台座部の上に配置される便座部とを備え、
前記台座部は、前記多角筒の各側壁同士が、壁間折り目線にて折り曲げ可能に連なっており、
前記便座部は、第１便座板と第２便座板とを備え、
前記第１便座板と前記第２便座板とは、それぞれの外辺が前記台座部の前記側壁に対して上端折り目線にて折り曲げ可能に連続しており、
組立状態において、前記上端折り目線を折り曲げて、前記第１便座板と前記第２便座板とを前記側壁の上端に乗せることによって、多角筒の前記台座部の上に前記便座部が配置された立体的形状となり、
折り畳み状態において、前記上端折り目線を伸ばして、前記第１便座板と前記第２便座板とを前記側壁から離すことによって、平面的形状となるように構成したことを特徴とする簡易組立トイレ。
【請求項２】
前記第１便座板と前記第２便座板とは、それぞれの内辺同士が天部折り目線にて折り曲げ可能に連続しており、
折り畳み状態において、前記上端折り目線を伸ばすと共に、前記天部折り目線を折り曲げることにより、前記第１便座板と前記第２便座板とを重ね合わせることによって、平面的形状となるように構成したことを特徴とする請求項１記載の簡易組立トイレ。
【請求項３】
前記第１便座板と前記第２便座板とは、それぞれの内辺同士が分離し、各内辺からフラップが折り曲げ可能に設けられており、
組立状態において、前記フラップを前記側壁に係合させるように構成したことを特徴とする請求項１記載の簡易組立トイレ。
【請求項４】
前記台座部は、前後左右の４つの側壁を備えた略４角筒をなし、
左右の前記側壁に、前記第１便座板と前記第２便座板とが前記上端折り目線を介して連続しており、
前後の前記側壁のそれぞれは、中間折り目線によって、２つの半壁部分に区画され、
折り畳み状態において、前記中間折り目線を谷折し、前記壁間折り目線を山折することによって、２つの半壁部分に折り畳まれた前後の前記側壁が、前記左右の前記側壁の間に挟まれた状態に折り畳まれるように構成したことを特徴とする請求項１〜３の何れかに記載の簡易組立トイレ。
【請求項５】
前記台座部は、前後左右の４つの側壁を備えた略４角筒をなし、
左右の前記側壁に、前記第１便座板と前記第２便座板とが前記上端折り目線を介して連続しており、
前記壁間折り目線のうち一方の対角線上にある２つの前記壁間折り目線を山折することによって、前記壁間折り目線を介して隣り合う２つの前記側壁同士を重ね合わせ、前記壁間折り目線のうち他方の対角線上にある２つの前記壁間折り目線を伸ばした状態に折り畳まれるように構成したことを特徴とする請求項３に記載の簡易組立トイレ。
【請求項６】
前記便座部は、前記側壁同士が分離不能に連続する環状体と、前記側壁のうち１箇所が接続可能に分離した帯状体との、何れか一方の形態を有することを特徴とする請求項１〜５の何れかに記載の簡易組立トイレ。
【発明の詳細な説明】
【技術分野】
【０００１】
本発明は、家庭や事業所での防災対策用品として、或いは、自動車での移動時や屋外キャンプでのレジャー用品として用いるなど、種々の目的で利用することができる簡易組立トイレに関するものである。
【背景技術】
【０００２】
この種の簡易組立トイレは種々の形態のものが提案されている。
例えば、特許文献１では、板状体に複数の折り目形成線を形成し、これらの折り目形成線及びこれらの折り目形成線と前記板状体の周辺に囲まれる領域を、前記折り目形成線を境に折り返して立体に形成し得るように構成した本体を備え、この本体の上面には孔を形成して便座壁の役を担わせ、少なくとも前記孔から前記本体内に挿入され、開口部を前記孔の外に位置させる汚物袋を有する簡易組立トイレが提案されている。ところが、この特許文献１の簡易組立トイレでは、その段落００１８に記載されているとおり、組立工数が多く簡便且つ迅速な組立が困難である。
【０００３】
特許文献２では、開口縁部が略長円状をなす６角筒状の台座に、便器穴が形成された６角形の便座を設けてなる可搬便器において、前記台座は、長手方向の両端側が中央側より高く、前記便座は、外縁部の一部が前記台座の開口縁部と繋がっており、前記便器穴の縁部には、該便器穴の下側に配置されるべき袋を係止するための係止片が設けられており、前記台座の側面を折って畳むことができるように構成されているものが提案されている。ところが、この特許文献２の簡易組立トイレでは、６角形の便座の全外周辺を、６角筒状の台座の全上端縁に対して、折り曲げ可能に連結しているため、組立は容易である反面、本来の便器の機能には必要ではないが、組立容易な構造にするために必要な余分な材料取りを行う必要が生じてしまう。
【０００４】
特許文献３では、全周囲の側壁板が連なった帯状の側壁帯と、側壁帯に連結された板状の便座板とを備え、側壁帯は両端部が連結して環状となり、便座板は後方部分にて側壁帯に折り曲げ可能に連結されており、前方部分に切込部を有し、この切込部を側壁板の前方から上方に伸延する突出部と係合させて組み立てるようにしたものが提案されている。ところが、この特許文献３の簡易組立トイレでは、便座板は後方部分にて側壁帯に折り曲げ可能に連結されているため、展開して保管する際に大きな面積を必要としてしまう。
【先行技術文献】
【特許文献】
【０００５】
【特許文献１】特許第３７６０３９３号公報
【特許文献２】特許第５５１８０１２号公報
【特許文献３】特開２００８−８６４３０号公報
【発明の概要】
【発明が解決しようとする課題】
【０００６】
本発明の目的は、簡単に組み立てることができ、コンパクトに保管することができる新たな構造の簡易組立トイレの提供を図ることにある。
【課題を解決するための手段】
【０００７】
本発明に係る簡易組立トイレは、多角筒の台座部と、前記台座部の上に配置される便座部とを備える。前記台座部は、前記多角筒の各側壁同士が、壁間折り目線にて折り曲げ可能に連なっている。他方、前記便座部は、第１便座板と第２便座板とを備えるものである。前記第１便座板と前記第２便座板とは、それぞれの外辺が前記台座部の前記側壁に対して上端折り目線にて折り曲げ可能に連続している。組立状態においては、前記上端折り目線を折り曲げて、前記第１便座板と前記第２便座板とを前記側壁の上端に乗せることによって、多角筒の前記台座部の上に前記便座部が配置された立体的形状となる。折り畳み状態において、前記上端折り目線を伸ばして、前記第１便座板と前記第２便座板とを前記側壁から離すことによって、平面的形状となるようになる。
このように前記便座部を、第１便座板と第２便座板とを備えたものとして、それぞれを台座部の前記側壁に対して上端折り目線にて折り曲げ可能に連続させることによって、簡便な組み立てとコンパクトな折り畳みを実現する。
【０００８】
前記第１便座板と前記第２便座板とは、それぞれの内辺同士が天部折り目線にて折り曲げ可能に連続させることもでき、あるいは、前記第１便座板と前記第２便座板とは、それぞれの内辺同士が分離したものとしてもよい。その際、各内辺からフラップが折り曲げ可能に設けられたており、組立状態において、前記フラップを前記側壁に係合させるように構成することで、簡便な組み立て状態で強固な構造を実現する。
【０００９】
なお本発明にあっては、前後左右の位置関係は説明の都合上行ったもので、前後を左右として実施することもでき、あるいは前と後ろとを入れ替えたり、右と左とを入れ替えたりして実施することもできる。
【発明の効果】
【００１０】
本発明は、簡単に組み立てることができ、コンパクトに保管することができる新たな構造の簡易組立トイレを提供することができたものである。
【図面の簡単な説明】
【００１１】
【図１】本発明の第１の実施の形態に係る簡易組立トイレの組立状態の斜視図。
【図２】同簡易組立トイレの組立過程を示す上からの斜視図。
【図３】同簡易組立トイレの組立過程を示す斜め上からの斜視図。
【図４】同簡易組立トイレの組立過程を示す底からの斜視図。
【図５】同簡易組立トイレの折り畳み状態を示す斜視図。
【図６】同簡易組立トイレの展開図。
【図７】本発明の第２の実施の形態に係る簡易組立トイレの組立状態の斜視図。
【図８】同簡易組立トイレの組立過程を示す斜視図。
【図９】同簡易組立トイレの折り畳み状態を示す斜視図。
【図１０】同簡易組立トイレの展開図。
【発明を実施するための形態】
【００１２】
以下、図面を参照しながら本発明の実施の形態を説明する。
（第１の実施の形態）
図１に示すように、この実施の形態に係る簡易組立トイレは、台座部１１の上に便座部１２が載置された略直方体をなす。使用に際しては、台座部１１の内部に合成樹脂製等の排便袋を配置し、その開口上部を、便座部１２中央の開口部１３から出して、便座部１２上面に広げ、その上に使用者が座って排便を行う。排便袋の中には必要に応じて凝固剤を入れることができる。
【００１３】
この簡易組立トイレは、図６の展開図に示すような形態にシートを打ち抜くなどして製造され、図５に示すコンパクトな折り畳み状態で出荷される。使用に際しては、図３〜図４に示す組み立て過程を経て、図１の状態で使用する。使用が終わると、図５の折り畳み状態に戻して再使用に備えて適宜箇所に収納する。用いるシートは、人が座ったときに崩れない強度と折り曲げ可能な素材を採用すればよく、例えば発泡ポリプロピレンなどの合成樹脂、段ボールなどの紙、或いはこれらの複合材料、さらにこれらと必要に応じて金属箔などとの複合材料等々を採用することができる。
【００１４】
（展開図）
まず図６を参照して、簡易組立トイレを形成するシートの全体の構成を説明する。
（台座部１１について）
台座部１１は、後側壁３２、左側壁３３、前側壁３１及び右側壁３４が壁間折り目線３５を介して折曲可能に連設した帯状をなす。この例では右側壁３４の端部に壁間折り目線３５を介して台座接続フラップ３９がさらに設けられ、後側壁３２の端部に接続して環状の台座部１１を形成する。この接続は製造の段階で接着剤や溶着やリベットなどの種々の固定手段を用いて予め行っておき、環状の台座部１１の形態で出荷される。但し、使用者にて接続するようにしてもよく、その場合には使用の際に組み立てができるように切り込みやホックによる係合など分離可能な接続手段を用いることもできる。なお、この接続箇所は、これらのシートのどの位置で行うようにしてもよい。
そして、この実施の形態では、前側壁３１と後側壁３２とが、それぞれ中間折り目線３８によって、第１半壁部分３６と第２半壁部分３７との２つに折曲可能に区画されることで、図５に示すコンパクトな折り畳み状態を実現する。
【００１５】
（便座部１２について）
便座部１２は、中央に開口部１３が形成されると共に、天部折り目線（内辺）２４によって第１便座板２１と第２便座板２２とに区画される。第１便座板２１と第２便座板２２とのそれぞれは、上端折り目線（外辺）２３を介して左側壁３３と右側壁３４とに接続される。この例では左側壁３３に第１便座板２１を連設する一方、第２便座板２２に上端折り目線２３を介して便座接続フラップ２５を連設し、この便座接続フラップ２５を右側壁３４に接続している。接続手段は、先の台座接続フラップ３９と後側壁３２との接続と同じものを採用できる。なお、使用の際に接続する場合は、便座部１２は台座部１１によって構成される４角形よりも一回り大きな形状（この例では四角形）をなすため、第２便座板２２を右側壁３４の上端辺に乗せるだけでもよい。
【００１６】
（組み立て状態）
図１に示すように、壁間折り目線３５が略直角に折り曲げられ、中間折り目線３８がほぼ伸ばされた状態で、台座部１１が４角筒状をなすように組み立てられる。台座部１１の上には、天部折り目線２４が伸ばされて平板状となった便座部１２が乗せられる。なお中間折り目線３８は完全に伸ばす必要はなく、開口部１３内に入らない程度に内側に少し曲げられた形態としておくことも、便座部１２を安定させる点から好ましい場合もある。
【００１７】
（折り畳み状態）
図２〜図４に示すように、中間折り目線３８を谷折して第１半壁部分３６と第２半壁部分３７とを内側に入れていくと共に、天部折り目線（内辺）２４を山折する。これにより、上端折り目線（外辺）２３が伸ばされた状態となり、図５に示すように、第１便座板２１と第２便座板２２とが略重ね合わされ、左側壁３３と右側壁３４との間に二つ折りにされた前側壁３１と後側壁３２とが配置される。従って、平面的な大きさは第１便座板２１と左側壁３３との大きさとなりると共に、厚みは４枚のシートの厚みとなるものであり、極めてコンパクトに折り畳むことができる。なお、天部折り目線２４を２本（２枚のシートの厚み分の間隔とすることが好ましい）設けておくこともできる。
【００１８】
組み立ては、上記と逆の手順で行うだけであり、左側壁３３と右側壁３４とを開くだけで、図４の形態に自然となってしまい、何の苦もなく説明もなくても図１の組み立て状態が実現する。
【００１９】
（第２の実施の形態）
図７に示すように、この実施の形態に係る簡易組立トイレは、台座部１１の上に便座部１２が載置された略直方体をなす。使用方法や素材は先の例と同じである。
この簡易組立トイレは、図１０の展開図に示すような形態にシートを打ち抜くなどして製造され、図９に示す折り畳み状態で出荷され、図８に示す組み立て過程を経て、図７の状態で使用する。
【００２０】
（展開図）
図１０を参照して、シート全体の構成を説明する。
（台座部１１について）
台座部１１は、後側壁３２、左側壁３３、前側壁３１及び右側壁３４が壁間折り目線３５を介して折曲可能に連設した帯状をなす。端部の接続は先の例と同じである。なお、先の例のように前側壁３１と後側壁３２とを中間折り目線３８によって折曲可能に２つに区画して実施することもできるが、この例では中間折り目線３８を設けないものを示した。
【００２１】
（便座部１２について）
先の例では便座部１２を天部折り目線２４によって第１便座板２１と第２便座板２２とに区画したが、この例では便座部１２を第１便座板２１と第２便座板２２とに完全に分離した。分離された第１便座板２１と第２便座板２２とは、それぞれ上端折り目線２３を介して左側壁３３と右側壁３４とに連設される。また第１便座板２１と第２便座板２２との端部には、それぞれ天部折り目線２４を介して天部固定フラップ４１が連設され、天部固定フラップ４１にはフラップ切込４２が形成される。このフラップ切込４２と対応する壁切込４３が前側壁３１と後側壁３２とにそれぞれ設けられ、組み立て状態ではフラップ切込４２と壁切込４３とを係合させることによって、第１便座板２１及び第２便座板２２が前側壁３１及び後側壁３２に固定される。なお、便座部１２は台座部１１によって構成される４角形よりも一回り大きな形状（この例では四角形）をなすため、天部固定フラップ４１を設けずに、第１便座板２１及び第２便座板２２を前側壁３１及び後側壁３２の上端辺に乗せるだけでもよい。
【００２２】
（組み立て状態）
図１に示すように、壁間折り目線３５が略直角に折り曲げられて、台座部１１が４角筒状をなすように組み立てられる。その上に第１便座板２１及び第２便座板２２が乗せられて、天部固定フラップ４１のフラップ切込４２と、前側壁３１及び後側壁３２の壁切込４３とを係合させることによって、第１便座板２１及び第２便座板２２が前側壁３１及び後側壁３２に固定される。
【００２３】
（折り畳み状態）
図８に示すように、フラップ切込４２と壁切込４３との係合を外して、上端折り目線２３を伸ばす。そして４本の壁間折り目線３５のうち、一方の対角線上にある一対の壁間折り目線３５を山折し、他方の対角線上にある一対の壁間折り目線３５を伸ばす。これにより、前側壁３１と左側壁３３とが重なり、後側壁３２と右側壁３４とが重なりあった状態に折り畳まれる。この例では、平面的な大きさは先の例よりも大きくなるが、厚みは２枚のシートの厚みとなるものであり、多くの簡易組立トイレを重ねて収納しておくには有利である。
【００２４】
組み立ては、上記と逆の手順で行うだけであり、台座部１１を広げて、フラップ切込４２を壁切込４３に差し込むだけで、何の苦もなく説明もなくても図７組み立て状態が実現する。
【００２５】
（変更例）
上述の２つの実施の形態においては、底部を設けずに実施することもできるが、図１０に示したような底板４４を設けることもできる。この底板４４は、適宜手段で台座部１１に接続すればよく、図１０のように接続片４５を底板４４に設けて、これを台座部１１に設けた差し込み口４６に差し込むようにしてもよく。フラップを設けて接続するようにしてもよい。また便座部１２と同様に、台座部１１に予め連設しておくこともできる。
台座部１１は４角筒状をなすものとして実施したが、他の多角形として実施することもできる。コンパクトな形態を実現する観点からは、台座部１１の高さは、便座部１２の１辺の長さ以下とすることが好ましいが、それよりも高いものであってもよい。
【符号の説明】
【００２６】
１１  台座部
１２  便座部
１３  開口部
２１  第１便座板
２２  第２便座板
２３  上端折り目線
２４  天部折り目線
２５  便座接続フラップ
３１  前側壁
３２  後側壁
３３  左側壁
３４  右側壁
３５  壁間折り目線
３６  第１半壁部分
３７  第２半壁部分
３８  中間折り目線
３９  台座接続フラップ
４１  天部固定フラップ
４２  フラップ切込
４３  壁切込
４４  底板
４５  接続片
４６  差し込み口
【図１】
2017038635.tif 000003
【図２】
2017038635.tif 000004
【図３】
2017038635.tif 000005
【図４】
2017038635.tif 000006
【図５】
2017038635.tif 000007
【図６】
2017038635.tif 000008
【図７】
2017038635.tif 000009
【図８】
2017038635.tif 000010
【図９】
2017038635.tif 000011
【図１０】
2017038635.tif 000012